(57)【特許請求の範囲】
【請求項１】
ストレッチ及び整復の現場において使用されるベルトであって、
雌バックル及び雄バックルと、
カムバックルと、
前記雌バックルと前記カムバックルを繋ぐ第１のベルトと、
前記雄バックルに取り付けられ前記カムバックルに挿通された第２のベルトと、
第２のベルトの一部の周囲に設けられたクッション部材、
を備え、
第２のベルトには、途中に長さ調整部材が取り付けられ、
前記長さ調整部材は、前記カムバックルを挿通した後の第２のベルトの自由端を挿通し固定し得るものであり、
前記雌バックルと前記雄バックルを嵌合させることにより第１のベルトと第２のベルトが連結され生まれる輪っか状の空間に、施術者の身体が位置し、
前記カムバックルと前記長さ調整部材の間の第２のベルトの部分を用いて、被施術者を把持して牽引することを特徴とするストレッチ及び整復ベルト。
【請求項２】
ストレッチ及び整復の現場において使用されるベルトであって、
雌バックル及び雄バックルと、
カムバックルと、
前記雄バックルと前記カムバックルを繋ぐ第１のベルトと、
前記雌バックルに取り付けられ前記カムバックルに挿通された第２のベルトと、
第２のベルトの一部の周囲に設けられたクッション部材、
を備え、
第２のベルトには、途中に長さ調整部材が取り付けられ、
前記長さ調整部材は、前記カムバックルを挿通した後の第２のベルトの自由端を挿通し固定し得るものであり、
前記雌バックルと前記雄バックルを嵌合させることにより第１のベルトと第２のベルトが連結され生まれる輪っか状の空間に、施術者の身体が位置し、
前記カムバックルと前記長さ調整部材の間の第２のベルトの部分を用いて、被施術者を把持して牽引することを特徴とするストレッチ及び整復ベルト。
【発明の詳細な説明】
【技術分野】
【０００１】
本発明は、ストレッチや整復のために、施術者によって使用されるベルトに関するものである。
【背景技術】
【０００２】
近年、健康志向が高まり、ストレッチ運動を日々の生活の中に取り入れる人は増えている。また、スポーツ選手以外の一般の人も専門のトレーナーにより施術を受けることが多くなっている。
そこで、肩こり等の緩和を目的に、個人でも簡単に上半身のストレッチ運動を行うことができるようにした、ストレッチ用のベルトが知られている（特許文献１を参照）。
【０００３】
これは、ベルトの両端に輪が設けられ、アジャスト具により長さ調節が可能で、さらに持ち運びが容易なサイズに構成されたものである。
また、首のストレッチを簡易に行うことができるようにしたストレッチ用の器具が知られている（特許文献２を参照）。これは、頭に被せる部位と足に引っ掛ける部位が牽引ベルトで繋げられ、足先からの牽引力やベルト中間部を押すことで加わる張力で首のストレッチを行うものである。
しかし、上記特許文献１も特許文献２も、１人でストレッチを行う場合を想定したものであり、トレーナーによる施術の際に使用されるものではないので、トレーナーが施術する場合には使用できないという問題がある。
【０００４】
一方で、従来から、スポーツ選手や患者に対してベルトを使用してストレッチや関節モビライゼーションを行う方法が、トレーナーによって行われている。ストレッチ以外でも、柔道整復師は骨折や脱臼の整復の際に四肢に牽引をかけながら整復することがある。施術の際にベルトを使用すると、ベルトで牽引することにより骨のアライメント（骨格の形）を変えた状態でストレッチすることができるというメリットがある。
また、ベルトで選手・患者の体を固定することにより体の大きな者へのストレッチが容易に行え、体の小さい施術者の補助にもなる。
さらに、ベルトで固定することにより、伸ばしたい筋肉以外の動作を制限できるので、ターゲットとなる筋肉をダイレクトに伸ばすことができる。
【先行技術文献】
【特許文献】
【０００５】
【特許文献１】特開２００４−８９６５９号公報
【特許文献２】特開２００９−２６１８７４号公報
【発明の開示】
【発明が解決しようとする課題】
【０００６】
従来からスポーツ選手や患者に対してベルトを使用してストレッチや関節モビライゼーションを行う方法が、トレーナーによって行われているが、施術者によるストレッチや関節モビライゼーションのための専用のベルトはなく、多くは旅行用スーツケースの固定ベルトが使用されてきた。
しかしながら、旅行用スーツケースの固定ベルトはベルトの強度にばらつきがあり、施術者にとって不安が大きい。
また、旅行用スーツケースの固定ベルトでは、施術のために十分な長さがない場合があったり、ベルトの幅が細く、施術者や患者の身体にベルトが食い込み痛みが生じるといった問題がある。
【０００７】
一方、柔道整復の現場においても、牽引のための専門のベルトはなく、これまでは柔道の帯が主に使用されてきた。
しかし、柔道の帯には、特別の固定機構が備えられている訳ではないので、長さの調整が困難であり、結んでいても結び目がほどけるといった問題がある。また、洗濯をする際には帯全体を洗濯する必要があり、衛生管理が困難であるという問題もある。
【０００８】
上記内容に鑑みて、本発明は、施術者が使用するベルトであって、施術の効果を高めるだけではなく、施術者及び被施術者にとって身体への負担が少なく、着脱が容易で、かつ清潔性の高いストレッチ及び整復ベルトを提供することを目的とする。
【課題を解決するための手段】
【０００９】
上記課題を解決すべく、本発明のストレッチ及び整復ベルトは、ストレッチ及び整復の現場において使用されるベルトであって、雌バックル及び雄バックルと、カムバックルと、雌バックルと前記カムバックルを繋ぐ第１のベルトと、雄バックルに取り付けられた第２のベルトと、第２のベルトに取り付けられた長さ調整部材と、第２のベルトの一部の周囲に設けられたクッション部材を備えた構成となっている。
【００１０】
使用時には、第１のベルトと第２のベルトは、雌バックル及び雄バックルによって連結され、第２のベルトの自由端はカムバックルに挿通され固定される。
かかる構成によれば、伸縮性の低いベルトで当接部をしっかりと固定するため、力が効果的に作用することになる。
したがって、施術者が小柄である場合や、被施術者が大柄である場合でも、ストレッチを容易に行えるようになる。
しかも、ベルトで固定することにより、伸ばしたい筋肉以外の動作を制限できるので、ターゲットとする筋肉をダイレクトに伸ばすことができる。
【００１１】
ここで、第１のベルトの長さは、２０ｃｍ〜５０ｃｍであることが好ましく、第２のベルトの長さは、１００ｃｍ〜２２０ｃｍであることが好ましい。ベルト部の素材は、シートベルトや貨物を固定するためのラッシングベルトと同様のものが用いられることが好ましい。
また、バックルが設けられることで容易に着脱可能となる。バックルは、公知のシートベルトと同様のものであり、ワンタッチでの着脱が可能であるが、長さ調整機構は設けられていない。
【００１２】
一方、カムバックルは、長さ調整機構があり、固定機構も備えているが、ある一定の長さを維持したまま着脱するということができない。
また、長さ調整部材は装着前の長さ調整には適しているが、両手で作業する必要があるので、装着中に微調整を行うには不向きである。このように、バックル、カムバックルはそれぞれ長所及び短所を備えている。
しかしながら、バックル、カムバックルの両方が備えられた本発明のストレッチ及び整復ベルトによれば、バックルで固定した後でもカムバックルを使って長さ調整を行うことができるし、また、カムバックルを使って適切な長さに調整した後に、その長さを固定したままバックルを用いて着脱することも可能である。さらに、クッション部材が設けられることで、施術者、被施術者の身体への負担が少ない施術が実現できる。
【００１３】
本発明のストレッチ及び整復ベルトを構成するバックルは、雌バックルは第２のベルトに取り付けられ、雄バックルは第１のベルトに取り付けられていても良い。
【００１４】
本発明のストレッチ及び整復ベルトを構成する第１のベルト若しくは第２のベルトには、ベルトの長さ調節を可能とする長さ調整部材が設けられていることが好ましい。
これにより、使用者はストレッチ及び整復ベルトの非装着時においてもベルトの長さ調整を行うことができる。
【００１５】
本発明のストレッチ及び整復ベルトを構成する第２のベルト上には、着脱自在に取り付けられる把持牽引器が設けられ、把持牽引器は、被施術者の腕や足に巻きつけられて固定される固定機構と、固定機構と第２のベルト上とを連結する連結部材とから構成されるものであっても良い。
かかる構成によれば、被施術者の上肢又は下肢を固定することで、安定して支持或は牽引することができる。また、把持牽引器は着脱可能であるので、把持牽引器を用いない状態での利用も可能である。
【００１６】
本発明のストレッチ及び整復ベルトを構成する第２のベルト上には、被施術者の上肢又は下肢に巻きつけられるための輪っかを形成することを目的とした留め具が設けられていても良い。
かかる構成によれば、被施術者の上肢又は下肢を輪っか状となったベルトの一部に通し固定することで、安定して支持、或は牽引することができる。
【００１７】
本発明のストレッチ及び整復ベルトを構成するクッション部材は、施術者又は被施術者の身体に当接されるものであり、第２のベルトの長さ方向において位置調整可能で、取り替え可能であることが好ましい。
かかる構成によれば、身体への負担がかかりやすい位置にクッション部材を配置し、身体への負担を軽減することができ、また、取り替える可能であるので、衛生的な使用が可能である。
クッション部材の材質としては、表面上はパイル地で、内部はウレタン素材が用いられることが好ましいが、吸水性の高い他の素材を用いても良い。クッション部は、施術者又は被施術者の身体に当接させて使用するので、クッション部材の長さは、人の身体の横幅相当のものであれば良く、５０〜８０ｃｍであることが好ましい。
【発明の効果】
【００１８】
本発明のストレッチ及び整復ベルトによれば、効果的に施術を行えるだけではなく、施術者及び被施術者にとって身体への負担が少なく、容易に使用でき、かつ清潔性の高いストレッチ或は整復が行えるといった効果がある。
【図面の簡単な説明】
【００１９】
【図１】実施例１のストレッチ及び整復ベルトの構成部品の説明図であり、（１）は第１のベルト、（２）は第２のベルト、（３）はクッション部材を示している。
【図２】実施例１のストレッチ及び整復ベルトの平面図。
【図３】実施例１のハムストリングスのストレッチを示した図。
【図４】実施例１の膝関節のモビライゼーションを示した図。
【図５】実施例１の肩後方のストレッチを示した図。
【図６】実施例２の腰部のストレッチを示した図。
【図７】実施例２の臀部のストレッチを示した図。
【図８】実施例２の中足骨骨折の整復補助を示した図。
【図９】実施例３の把持牽引器の構成部品の説明図であり、（１）は包帯部、（２）はベルト部、（３）はフック部、（４）は全体図を示している。
【図１０】実施例３のストレッチ及び整復ベルトの平面図。
【図１１】実施例３のコーレス骨折整復の補助を示した図。
【図１２】実施例３の下腿骨骨幹部骨折整復の補助を示した図。
【図１３】実施例４のストレッチ及び整復ベルトの平面図。
【図１４】実施例４の肘関節後方脱臼整復の補助を示した図。
【図１５】実施例４のモンテギア骨折整復の補助を示した図。
【発明を実施するための最良の形態】
【００２０】
以下、本発明の実施形態について、図面を参照しながら詳細に説明していく。なお、本発明の範囲は、以下の実施例や図示例に限定されるものではなく、幾多の変更及び変形が可能である。
【実施例１】
【００２１】
図１は、実施例１のストレッチ及び整復ベルトの構成部品の説明図を示し、図２は、実施例１のストレッチ及び整復ベルトの平面図を示している。
図２に示されるところのストレッチ及び整復ベルト１は、図１に示されるように、３つの部材に分解することが可能である。
【００２２】
図１（１）は第１のベルト１０を示している。ベルト部１０ａの端部１０ｂには、雌バックル１１が取付部位１１ａの箇所で取り付けられており、ベルト部１０ａの他端の端部１０ｃには、カムバックル１２が取付部位１２ａの箇所で取り付けられている。
【００２３】
図１（２）は第２のベルト２０を示している。
図２に示されるように、ベルト部２０ａの端部２０ｂは、長さ調整部材２２の取付部位２２ａから取付部位２２ｂへと挿通され、さらに、取付部位２２ｃから取付部位２２ｄへと挿通され、縫合され固定されている。
ベルト部２０ａの自由端２０ｃは、雄バックル２１の取付部位２１ａに挿通され、さらに、長さ調整部材２２の取付部位２２ａから取付部位２２ｂへと挿通された上、取付部位２２ｃから取付部位２２ｄへと挿通されている。
これにより、長さ調整部材２２を操作することで、第２のベルト２０は長さ調整が可能となる。
【００２４】
図１（３）はクッション部材３０を示している。
クッション部材３０のクッション部３０ａは、表面はパイル地で、クッション材としてはウレタンを用いている。
クッション部材３０には、端部３０ｂから端部３０ｃにかけて、面ファスナが設けられている（図示せず）ため、ベルト部２０ａに巻きつけて取り付けられる構造となっている。また、隙間３０ｄは、クッション部３０ａとクッション部３０ａの間に生じるものである。
【００２５】
次に、実施例１のストレッチ及び整復ベルトの構成部品が組み立てられた状態について説明する。
第１のベルト１０を構成する雌バックル１１は取付部位１１ｂで第２のベルト２０を構成する雄バックル２１の取付部位２１ｂと結合する。
第２のベルトの自由端２０ｃは、クッション部材３０の端部３０ｂから３０ｃへと挿通され、さらに、バックル１２の接続部位１２ｂから接続部位１２ｃへと挿通され、固定されている。
【００２６】
施術者２は位置２ａに、被施術者３は位置３ａにそれぞれ位置し、施術が行われる。
固定箇所としては、雌バックル１１と雄バックル２１によるバックルと、カムバックル１２の２箇所が設けられており、ベルトの長さ調整箇所についても、長さ調整部材２２とカムバックル１２の２箇所が設けられている。
ストレッチ及び整復ベルト１を装着する際は、まずカムバックルを固定した状態で、施術者は、長さ調整部材２２を操作して第２のベルト２０の長さを調整した上で、被施術者の当接部と施術者自身の腰部から臀部にかけての適切な位置とを囲むように装着し、雌バックル１１と雄バックル２１とで固定する。
もっとも装着手順としては、雌バックル１１と雄バックル２１との連結、自由端２０ｃのカムバックルへの挿通及び固定、及び、長さ調整部材２２によるベルトの長さ調整は、何れの順に行っても良い。
【００２７】
ここで、クッション部材３０の位置は、被施術者の当接部に当たるように調整する。施術者と被施術者を囲むように装着した状態で、次に、カムバックル１２を操作して第２のベルト２０の長さを再度調整する。カムバックル１２は、長さ調整部材２２と異なり、装着中においても片手で容易に操作できるので、施術時に急に長さ調整が必要となった場合や、微調整が必要な場合にも、簡単に対応できる構造となっている。
【００２８】
次に、ストレッチ及び整復ベルト１を用いた施術例を説明する。
図３は、実施例１のハムストリングスのストレッチを示した図である。ここにハムストリングスとは、人間の下肢後面を作る筋肉の総称をいう。
図３に示されるように、被施術者３は仰向けの状態で片足を上に上げている状態である。施術者２は、膝をついた状態で、両手で被施術者３の上に上げた足を支持している。
【００２９】
この状態で、施術者２は、腰を固定したまま、或は、やや後方に力をかけ、同時に両手を前方に押し出す。ストレッチ及び整復ベルト１が装着されていない場合、施術者２が両手を前方に押し出すと被施術者３の身体も一緒に施術者２の前方に押し出されてしまう。しかし、ストレッチ及び整復ベルト１を装着した状態で押し出すと、施術者２の腰部或は臀部と被施術者３の大腿部の付け根とが固定されていることから、被施術者３の身体が施術者２の前方に押し出されてしまうことなく、ハムストリングスを効果的にストレッチすることができるのである。
【００３０】
図４は、実施例１の膝関節のモビライゼーションを示した図である。ここに関節モビライゼーションとは、制限された関節の副運動または関節の遊びを徒手によって他動的に正常位置へ戻すことであり，比較的大きい振幅を低速度で動かすことをいう。
図４に示されるように、被施術者３はうつ伏せの状態で右足を上に折り曲げている状態である。施術者２は、右足はベッド６の外に位置し、左足はベッド６の上に膝をついた状態で、左手で被施術者３の右足のつま先を支持している。
【００３１】
この状態で、施術者２は、腰部又は臀部を固定したまま、或は、やや後方に力をかけ、同時に被施術者のつま先を持って前方へ押し倒したり、戻したりといったストレッチを繰り返す。ストレッチ及び整復ベルト１が装着されていない場合、施術者２が両手を前方に押し倒すと被施術者３の身体も一緒に施術者２の前方に押し出されてしまう。しかし、ストレッチ及び整復ベルト１を装着した状態で押し倒すと、施術者２の腰部或は臀部と被施術者３の膝関節部とが固定されていることから、被施術者３の身体が施術者２の前方に押し出されてしまうことなく、効果的に膝関節のモビライゼーションを行うことができるのである。
【００３２】
図５は、実施例１の肩後方のストレッチを示した図である。
ここでは、被施術者３は仰向けとなり、被施術者３の右肩にクッション部材３０が当てられ、施術者２は右足でストレッチ及び整復ベルト１の一部を踏み、固定している。
肩後方のストレッチを行うためには、肩の付け根を下方に向けて固定しておく必要があるが、施術者は右腕を上方に引き上げる動作をするため、これと反対の動作を行うためには、通常は、別に助手が必要となる。
しかしながら、ストレッチ及び整復ベルト１を利用すると施術者自身の足で、被施術者の肩を固定したまま肩後方のストレッチを行うことができるのである。
【実施例２】
【００３３】
本実施例では、ストレッチ及び整復ベルト１は、施術者２には装着されずに使用されている。
図６は、実施例２の腰部のストレッチを示した図である。
図６に示されるように、腰部のストレッチにおいては、被施術者３の腰部とベッド６は、ストレッチ及び整復ベルト１によって巻きつけられて、固定されている。
施術者２は、ベッド６の上に立ち、被施術者３の膝を屈曲させ、両手で下方に押すようにしてストレッチを行う。
【００３４】
図７は、実施例２の臀部のストレッチを示した図である。
図７に示されるように、臀部のストレッチにおいては、被施術者３の胸部とベッド６は、ストレッチ及び整復ベルト１によって巻きつけられて、固定されている。
施術者２は、ベッド６の側方から、被施術者３の膝を屈曲させ、例えば、左足を屈曲させる場合であれば、両手で被施術者３の右側方へ倒すようにしてストレッチを行う。
【００３５】
図８は、実施例２の中足骨骨折の整復補助を示した図である。
図８に示されるように、中足骨骨折の整復補助においては、被施術者３の整復対象となる下肢の足首とベッド６は、ストレッチ及び整復ベルト１によって巻きつけられて、固定されている。
施術者２は、ベッド６の被施術者足側から、被施術者３の中足骨骨折の整復を行う。
このように、被施術者３とベッド６が、ストレッチ及び整復ベルト１によって固定されていることで、施術者２は、助手を必要とせずに上記の施術を行うことができる。
【実施例３】
【００３６】
実施例１及び２においては、ストレッチ及び整復ベルト１は、被施術者の支持又は固定を目的としていたが、本実施例は、ストレッチ及び整復ベルト１の一部に把持牽引器具を連結させ、被施術者の上肢や下肢と施術者の腰回りを固定し、施術者によって被施術者の上肢や下肢を牽引しようとするものである。
【００３７】
図９は、実施例３のストレッチ及び整復ベルトの構成部品の説明図であり、（１）は包帯部、（２）はベルト部、（３）はフック部、（４）は全体図を示している。
図９（１）に示されるように、包帯部４ａは、被施術者の身体に接触する帯状体４１と、帯状体４１の身体非接触側に設けられる帯状体４２と、帯状体４１と帯状体４２を結合する留め具４３とから成る。
帯状体４１と帯状体４２は留め具４３によって結合されているに過ぎないため、帯状体４１と帯状体４２の間には隙間（４４ａ，４４ｂ，４４ｃ，４４ｄ，４４ｅ）が存在する。
【００３８】
図９（２）に示されるように、ベルト部４ｂは、ベルト４６と、カムバックル４５とから成る。
ベルト４６の端部４６ａは、取付部位４５ａに取り付けられ、もう一方の端部４６ｂは、調整具４５ｂに挿通されて、任意の位置で固定することが可能である。
【００３９】
図９（３）に示されるように、フック部材４７は、留め具４７ａと、フック部４７ｂと、フック部４７ｃとから成る。
留め具４７ａとフック部４７ｂは、フック部材４７と第２のベルト２０との連結に用い、フック部４７ｃは、包帯部４ａ、ベルト部４ｂ及びフック部材４７との連結に用いる。
留め具４７ａはバネ状の構造であり、装着中に外れることを防止する。
【００４０】
図９（４）に示されるように、把持牽引器４は、包帯部４ａと、ベルト部４ｂと、フック部材４７から成る。
包帯部４ａの身体非接触側には、ベルト部４ｂが配置され、包帯部４ａとベルト部４ｂとを挟むように、フック部材４７が隙間４４ａと隙間４４ｄに引っ掛けられるようにして、連結されている。
被施術者に装着させる際には、把持牽引器４の裏面を被施術者の腕や足に巻きつけて、ベルト部４ｂを用いて固定する。
【００４１】
図１０は、実施例３のストレッチ及び整復ベルトの平面図を示している。
図１０に示されるように、把持牽引器４をストレッチ及び整復ベルト１に取り付けて使用する場合には、実施例１とは取り付け方法が異なる。
まず、雌バックル１１と雄バックル２１及びカムバックル１２における取り付け方法は実施例１と同様である。
しかし、実施例１においては、図２に示されるように、第１のベルト１０と第２のベルト２０が連結されることによって生まれた輪っか状の空間に施術者２の身体と被施術者３の身体がそれぞれ置かれることになる。
具体的には、位置２ａに施術者２の身体が、位置３ａに被施術者３の身体が置かれることになる。
【００４２】
これに対して、実施例３においては、図１０に示されるように、第１のベルト１０と第２のベルト２０が連結されることによって生まれた輪っか状の空間には、施術者２の身体のみが、位置２ａの位置に置かれることになる。
そして、施術者２はストレッチ及び整復ベルト１を自身の腰部又は臀部の周りに巻きつけ固定して使用することになる。ここで、クッション部材３０は、施術者２の腰部又は臀部に当たるように固定される。
【００４３】
カムバックル１２の接続部位１２ｂから接続部位１２ｃへと挿通された第２のベルトの自由端２０ｃは、把持牽引器４を構成する２箇所のフック部材４７に取り付けられ、自由端２０ｃは長さ調整部材２２の取付部位２２ａから取付部位２２ｂへと挿通された上、取付部位２２ｃから取付部位２２ｄへと挿通され固定されている。
施術者２の身体から把持牽引器４までのストレッチ及び整復ベルト１の長さ調整をする際には、バックル１２或は長さ調整部材２２を操作することで、調整が可能である。
【００４４】
把持牽引器４のストレッチ及び整復ベルト１への取り付けは、被施術者３へ把持牽引器４を取り付けた後でも良いし、取り付ける前でも良い。
本実施例のストレッチ及び整復ベルト１が装着された状態で、施術者２がベルト部２０ａを把持し牽引しながら、自身の重心を後方に移動させると、被施術者３に固定された上肢又は下肢と同軸方向に牽引を行うことができる。
【００４５】
図１１は、実施例３のコーレス骨折整復の補助を示した図である。
コーレス骨折とは、橈骨遠位端部の定型的骨折の１つであり、橈骨の手関節に近い部分で骨折し、遠位骨片が手背方向へ転位するものを指す。
図１１に示されるように、コーレス骨折整復の補助の場合は、被施術者３をベッド６にうつ伏せに寝かせたまま、施術者２ｂは、補助者として被施術者３の腕部を牽引する。把持牽引器４は被施術者３の腕部に固定され、施術者２によって、被施術者３の足先から頭部の方向に向けて牽引を行う。
同時に、もう１人の施術者２ｃは、被施術者３の骨折した側の手を両手で把持し、被施術者３の頭部から足部の方向に向けて牽引を行う。
【００４６】
図１２は、実施例３の下腿骨骨幹部骨折整復の補助を示した図である。
図１２に示されるように、下腿骨骨幹部骨折整復の補助の場合は、被施術者３を仰向けに寝かせたまま、被施術者３の骨折をした方の足を浮かせ、膝蓋骨付近と足首付近に把持牽引器４を取り付けたストレッチ及び整復ベルト１を装着させる。
【００４７】
施術者２ｄが使用するストレッチ及び整復ベルト１の把持牽引器４は、被施術者３の膝蓋骨付近に取り付けられ、ストレッチ及び整復ベルト１の他端は、施術者２ｄの腰部又は臀部に巻きつけて固定されている。
施術者２ｅが使用するストレッチ及び整復ベルト１の把持牽引器４は、被施術者３の足首付近に取り付けられ、ストレッチ及び整復ベルト１の他端は、施術者２ｅの腰部又は臀部に巻きつけて固定されている。
施術者２ｄは、被施術者３の足部から頭部の方向に向けて、牽引を行い、施術者２ｅは、被施術者３の頭部から足部の方向に向けて、牽引を行う。
このように、把持牽引器４を用いると、把持牽引器４により固定した箇所と同軸方向への牽引が可能となる。
【実施例４】
【００４８】
図１３は、実施例４のストレッチ及び整復ベルトの平面図を示している。
図１３に示されるように、本実施例においても、実施例３と同様に、第１のベルト１０と第２のベルト２０が連結されることによって生まれた輪っか状の空間すなわち位置２ａに、施術者２の身体が置かれることになる。
そして、施術者２はストレッチ及び整復ベルト１を腰部又は臀部の周りに巻きつけ固定して使用することになる。ここで、クッション部材３０は、施術者の腰部又は臀部に当たるように固定される。
【００４９】
カムバックル１２の接続部位１２ｂから接続部位１２ｃへと挿通された第２のベルトの自由端２０ｃは、長さ調整部材２２の取付部位２２ａから取付部位２２ｂへと挿通された上、取付部位２２ｃから取付部位２２ｄへと挿通され固定されている。
第２のベルト２０は、接続部位１２ｃから取付部位２２ａに至るまでの適切な位置で、被施術者の上肢又は下肢を把持するための輪っか２０ｄが形成される。
輪っか２０ｄの中に形成される位置３ａには、被施術者３の上肢又は下肢が置かれる。形成された輪っか２０ｄを固定するためには、留め具５が用いられ、輪っか２０ｄが形成された際に生じるベルト部２０ａ同士の接着箇所を挟むようにして固定される。
【００５０】
留め具５は、公知のシートベルトストッパーと同様に、簡単な操作で着脱可能なものであり、材質は樹脂製のものから成る。
施術者２の身体から把持牽引器４までのストレッチ及び整復ベルト１の長さ調整をする際には、バックル１２或は長さ調整部材２２を操作することで、調整が可能である。
本実施例のストレッチ及び整復ベルト１が装着された状態で、施術者２がベルト部２０ａを把持し牽引しながら、自身の重心を後方に移動させると、被施術者３に固定された上肢又は下肢に対して垂直方向に牽引を行うことができる。
【００５１】
図１４に示されるように、肘関節後方脱臼整復の補助の場合は、被施術者３をベッド６に座らせたまま、施術者２ｆは、被施術者３の後方に立ち、補助者として被施術者３の上腕部を牽引する。
輪っか２０ｄは被施術者３の上腕部下方に留め具５を用いて固定され、施術者２ｆによって、被施術者３の身体の前方から後方に向けて牽引を行う。
同時に、もう１人の施術者２ｇは、被施術者３の前方に立ち、被施術者３の骨折した側の肘部を把持し、被施術者３の後方から前方に向けて牽引を行う。
【００５２】
図１５に示されるように、モンテギア骨折整復の補助の場合は、被施術者３をベッド６に仰向けに寝かせたまま、施術者２ｈは、被施術者３の頭部側に立ち、補助者として被施術者３の上腕部を牽引する。輪っか２０ｄは被施術者３の上腕部下方に留め具５を用いて固定され、施術者２ｈによって、被施術者３の身体の足部側から頭部側に向けて牽引を行う。
同時に、もう１人の施術者２ｉは、被施術者３の足部側に立ち、被施術者３の骨折した側の下腕部を把持し、被施術者３の頭部側から足部側に向けて牽引を行う。このように、留め具５を用いると、留め具５により固定した箇所に対して垂直方向への牽引が可能となる。
【産業上の利用可能性】
【００５３】
本発明のストレッチ及び整復ベルトは、スポーツトレーナー、柔道整復師、整形外科医、理学療法士、鍼灸師、マッサージ師、整体師などの施術用具として有用である。
【符号の説明】
【００５４】
１    ストレッチ及び整復ベルト
２，２ｂ〜２ｉ    施術者
２ａ    位置
３    被施術者
３ａ    位置
４    把持牽引器
４ａ    包帯部
４ｂ    ベルト部
５    留め具
６    ベッド
１０    第１のベルト
１０ａ    取付部位
１０ｂ，１０ｃ    端部
１１    雌バックル
１１ａ    取付部位
１２    カムバックル
１２ａ    取付部位
１２ｂ，１２ｃ    接続部位
２０    第２のベルト
２０ａ    ベルト部
２０ｂ    端部
２０ｃ    自由端
２０ｄ    輪っか
２１    雄バックル
２２    長さ調整部材
２２ａ〜２２ｄ    取付部位
３０    クッション部材
３０ａ    クッション部
３０ｂ，３０ｃ    端部
３０ｄ    隙間
４１，４２    帯状体
４３    留め具
４４ａ〜４４ｅ    隙間
４５    カムバックル
４５ａ    取付部位
４５ｂ    調整具
４６    ベルト
４６ａ，４６ｂ    端部
４７    フック部材
４７ａ    留め具
４７ｂ，４７ｃ    フック部
【図１】
0006651166.tif 000002
【図２】
0006651166.tif 000003
【図３】
0006651166.tif 000004
【図４】
0006651166.tif 000005
【図５】
0006651166.tif 000006
【図６】
0006651166.tif 000007
【図７】
0006651166.tif 000008
【図８】
0006651166.tif 000009
【図９】
0006651166.tif 000010
【図１０】
0006651166.tif 000011
【図１１】
0006651166.tif 000012
【図１２】
0006651166.tif 000013
【図１３】
0006651166.tif 000014
【図１４】
0006651166.tif 000015
【図１５】
0006651166.tif 000016